(57)【特許請求の範囲】
【請求項１】
地盤に穿孔された孔中に硬化性を有する固定剤を充填し、これに打ち込まれて固定されたアンカーボルトと、
このアンカーボルトの端部に地盤上で締結される基板と、
この基板に支持された少なくとも１対の側板と、
これら１対の側板の相互間に設けられたピンと、
索の端末部が中央に埋設固定される筒型ソケットと、
前記ピンによって揺動可能に支持され、かつ、前記索端末部の両側において前記筒型ソケットに締結される１対の調整ロッドと、
を有することを特徴とするアンカー装置。
【発明の詳細な説明】
【０００１】
【産業上の利用分野】
本発明は、小規模吊橋の索端末部の固定、および落石・雪崩防止堰や土石流・流木防止堰等の安全設備に用いられるアンカー装置に関する。
【０００２】
【従来の技術】
社団法人日本道路協会の小規模吊橋指針によればその適用範囲は次のように決められている。
（イ）市町村道における支間２００ｍ以下の橋であること、
（ロ）主として、歩行者及び自転車の用に供する橋であること、
（ハ）新設の橋であること、
このように小規模吊橋は長大橋などの大型構造物に比べて規制が緩められているが、吊橋はもともと安全係数を高く設定してあるため施工上の不合理な点も少なからず残されている。
【０００３】
従来の小規模吊橋用アンカーの施工においては、地盤が強固な岩盤であっても主索及び耐風索用ともにコンクリート基礎工事がなされている。例えば図８に示すように、地盤２，３の強固な箇所をパワーショベル等で掘削し、掘削スペースを型枠で取り囲み、これにコンクリートを打設してコンクリートアンカーブロック７，１８を形成する。主索６用の大型アンカーブロック７にはアンカーフレーム８の基部が埋設され、アンカーフレーム８の埋設されない先端部には主索６の張力や長さを調整するための調整ロッド４２が設けられている。この調整ロッド４２には主索６の端末部が固定されたソケット１０が螺合連結されている。
また、耐風索１６用の小型アンカーブロック１８には調整ロッド等が埋設され、これに小型のソケット１９が螺合連結されている。
【０００４】
【発明が解決しようとする課題】
しかしながら、小規模吊橋の施工予定地にはパワーショベルのような重機を持ち込めない狭い地形が多く、軽量小型の工具類を利用する手作業に依存するなど非能率的で危険かつ困難な作業を強いられていた。
【０００５】
また、小規模吊橋の実際の設計施工にあたっては種々の制限を受けることが多い。例えば、橋のサイドに道路が通っている場合は、主索用の大型アンカーブロック７を設置する場所を確保できないケースが生じたり、設置場所を確保することができたとしても建築限界の問題で塔柱５の高さをさらに高くする必要があるなど不経済である。また、橋の設置場所が用地（民地）に隣接している場合は、用地の買収に多額の予算が必要になるので不経済であり、用地の買収ができないケースも生じる。
【０００６】
本発明は上記事情に鑑みてなされたものであって、施工予定地が重機を持ち込めない地形であっても容易に施工することができ、安全性にも優れた小規模吊橋の索端末部の固定、および落石・雪崩防止堰や土石流・流木防止堰等の安全設備に用いられるアンカー装置を提供することを目的とする。
【０００７】
【課題を解決するための手段】
発明者は、小規模吊橋の合理的な設計施工方法につき鋭意研究努力を傾け、熱心に種々の検討を実際に重ねた結果、施工予定地が強固な岩盤である場合にはコンクリートブロックの代用としてアンカーボルトで必要かつ十分な支持強度がえられるという知見を得た。さらに検討を重ねた結果、ＰＣ棒鋼あるいはＰＣ撚線を入れたアースアンカー型式のものも考えられるが、岩盤に穿孔するために喪散られるボーリングマシンは重機であり、現地に投入することができないという知見を得た。そこで、発明者は手動の削岩機で岩盤を穿孔し、これに特殊アンカーボルトを挿入埋設することを検討し、この特殊アンカーボルトの上部構造物をも考案するに至った。
【０００８】
本発明に係るアンカー装置は、地盤に穿孔された孔中に硬化性を有する固定剤を充填し、これに打ち込まれて固定されたアンカーボルトと、このアンカーボルトの端部に地盤上で締結される基板と、この基板に支持された少なくとも１対の側板と、これら１対の側板の相互間に設けられたピンと、索の端末部が中央に埋設固定される筒型ソケットと、前記ピンによって揺動可能に支持され、かつ、前記索端末部の両側において前記筒型ソケットに締結される１対の調整ロッドと、を有することを特徴とする。
【０００９】
固定剤としてカプセル又はチューブ内に充填された特殊セメントを用いることが望ましい。特殊セメントは水和硬化し、所望の強度が発現されるグラウトのようなものを採用する。速硬性のものや緩硬性のものを用いることができる。また、固定剤として二液を混合すると硬化する特殊な樹脂系薬剤を用いてもよい。
【００１０】
【作用】
本発明に係るアンカー装置は、例えば岩盤のような強固な地盤を選び、手動の削岩機で穿孔し、次いで特殊セメントカプセル等に含水させ、これを岩盤の孔に充填し、さらにアンカーボルトを挿入すると、セメント等が凝固し、その後に上部構造物を設置する。上部構造物の設置にあたっては、両岸の少なくとも一方側にピン及び１対の調整ロッド、間隔管、キャップを備えたアンカー金物を設ける。このようなアンカー金物の１対の調整ロッドに索端末部が埋設固定された筒型ソケットを取り付け、調整ロッドの先端部に取り付けたダブルナットを用いて索にはたらく張力を調節する。
【００１１】
【実施例】
以下、添付の図面を参照しながら本発明のアンカー装置を小規模吊橋に用いた場合の実施例について説明する。
図１に示すように、小規模吊橋の右岸側は狭い面積の緩斜面２と急斜面３とに面しており、重機を持ち込むことが不可能な地形である。緩斜面２には主索用のアンカー装置４０が設置され、急斜面３には耐風索用のアンカー装置２０が設置されている。主索６の端末部は金属製の筒型ソケット１０のなかに強固に鋳造固定されている。ソケット１０はアンカー装置４０の調整ロッド４２に螺合連結されている。主索６は塔柱５の頂部を経由して、吊橋の中央部ではゆるやかな懸垂線を描いている。主索６にはほぼ等間隔に吊索１１が設けられ、桁１３及び高欄１４などからなる通行部が吊り下げ支持されている。塔柱５の基部は基礎ブロック４のなかに埋設されている。
【００１２】
通行部の縦桁、床板、高欄１４は横桁１３及び横構の上にそれぞれ設けられ、多数の吊索１１によって支持されている。主索６と吊索１１は吊金具１２によって締結されている。また、吊索１１はターンバックルを介して横桁１３の両端部近傍に連結され、横桁１３とともに通行部を支持している。なお、高欄１４は支柱、横材、高欄索を組み合わせたものである。横構は、風荷重等を考慮して通行部のねじれや曲り等の変形を防ぐために設けられ、また横桁１３同士を連結補強する役割をも有するものである。
【００１３】
図２に示すように、横桁１３の斜め下方には耐風索１６が設けられている。耐風索１６は締結具１７を介してほぼ等間隔に支索１５に支持されている。なお支索１５は通行部の横桁１３にターンバックルを介して締結されている。
【００１４】
耐風索１６の両端部は金属製の筒型ソケット１９のなかに強固に鋳造固定されている。ソケット１９はアンカー装置２０の調整ロッド２２に螺合されている。アンカー装置２０は４本のアンカーボルト２４によって固定されている。各アンカーボルト２４は岩盤深く打ち込まれており、特殊セメント又は薬剤によって強固に岩盤に固着されている。
【００１５】
図３乃至図５に示すように、耐風索用アンカー装置２０の基板２１は岩盤上に設置され、アンカーボルト２４の上端部がナット２９によって基板２１にそれぞれ締結されている。基板２１の上面には互いに向き合う１対の側板２７が溶接固定されている。各側板２７には孔が形成され、孔にピン２６が挿通されている。ピン２６の両端はナット２９で側板２７に締めつけられている。ピン２６と側板２７の孔との間のわずかな間隙を覆うようにキャップ３０がそれぞれ被せられている。
【００１６】
１対の調整ロッド２２の連結部２３には挿通孔が形成され、各挿通孔にピン２６が通されている。これにより調整ロッド２２は上下に揺動できるようになっている。一方、調整ロッド２２の先端部には筒型ソケット１９が設けられている。筒型ソケット１９の中央部には耐風索１６の末端部１６ａが埋設されている。筒型ソケット１９は例えば亜鉛系鋳造合金からなる。調整ロッド２２の先端部にはダブルナット２９が設けられている。
【００１７】
図６及び図７に示すように、主索用アンカー装置４０は８本のアンカーボルト４４を備えている。これらのアンカーボルト４４は耐風索用アンカーボルト２４よりも太くかつ長い。また、調整ロッド４２及びピン４６も耐風索用のものより大径である。さらに、基板４１、側板４７、補強板４８も耐風索用のものより厚くかつ大サイズである。
【００１８】
次に、上記のアンカー装置を設置する場合について説明する。
岩盤のような強固な地盤を選び、岩盤表面を平坦に削る。手動の削岩機で約１〜２ｍの深さに穿孔し、各孔に含水された特殊セメントカプセルをそれぞれ挿入充填する。カプセル充填後、アンカーボルトを挿入し、所定時間経過後にこれが凝固すると、上部構造物を設置する。上部構造物の設置にあたっては、両岸の少なくとも一方側に本実施例のアンカー装置２０，４０を設置する。アンカー装置２０，４０に索端末部の筒型ソケット１０，１９を取り付け、索６，１６にはたらく張力を調節する。このような施工はわずか数名の作業者が手動削岩機と軽量小型のコンプレッサーを持ち込むだけで可能である。
【００１９】
なお、上記実施例では小規模吊橋の索端末部を固定する場合について説明したが、本発明に係るアンカー装置はこれのみに限られることなく、落石・雪崩防止堰や土石流・流木防止堰等の安全設備にも用いることができる。
【００２０】
また、上記実施例では岩盤上に設置する場合について説明したが、本発明に係るアンカー装置はこれのみに限られることなく、既設コンクリート部の上にも設置することができる。
【００２１】
【発明の効果】
本発明によれば、わずか数名の作業者が手動削岩機と軽量小型のコンプレッサーを持ち込むだけで施工することができるので、重機を持ち込めないか又は持ち込みにくい地形においても容易に施工することができる。このため、施工管理が比較的簡単になり、大幅にコストを低減することができる。
【００２２】
また、本発明によれば、掘削作業やコンクリート打設作業が不要になり、大規模な環境破壊を招くことなく施工することができるので、地球環境の保全におおいに寄与することができる。
【図面の簡単な説明】
【図１】本発明の実施例に係るアンカー装置を備えた小規模吊橋を示す概要図。
【図２】耐風索用アンカーとしてのアンカー装置を示す斜視図。
【図３】耐風索用アンカーとしてのアンカー装置を拡大して示す斜視図。
【図４】耐風索用アンカーとしてのアンカー装置を示す平面図。
【図５】耐風索用アンカーとしてのアンカー装置を示す側面図。
【図６】主索用アンカーとしてのアンカー装置を示す斜視図。
【図７】主索用アンカーとしてのアンカー装置を拡大して示す斜視図。
【図８】従来のアンカー装置を示す概要図。
【符号の説明】
１０，１９…ソケット
２０，４０…アンカー装置
２１…基板
２２…調整ロッド
２４，４４…アンカーボルト
２６…ピン
２７…側板
２８…補強板
２９…ボルト
３０…キャップ
【図１】
0003608829.tif 000002
【図２】
0003608829.tif 000003
【図３】
0003608829.tif 000004
【図４】
0003608829.tif 000005
【図５】
0003608829.tif 000006
【図６】
0003608829.tif 000007
【図７】
0003608829.tif 000008
【図８】
0003608829.tif 000009